(57)【要約】【課題】搬送対象の用紙を収容する収容部の収容面に用紙の繰出しロールが回転した状態で接触することがあっても、その接触したときの異音の発生を、別部材を使用して構成することなく容易に抑制することができる用紙搬送装置等を提供する。【解決手段】用紙搬送装置は、用紙が当接する当接面を有し前記用紙を収容する収容部と、前記収容部の当接面に対して接触及び離間する方向に移動するよう設けられ、その当接面に当接した用紙に移動して接触するとともに回転することにより当該用紙を搬送先にむけて繰り出す繰出しロールとを備え、前記当接面のうち前記繰出しロールが移動して接触する部分に、その繰出しロールの幅方向の一部と対峙する凹部又は凸部を形成している。【選択図】図６
2009227441.tif 000002
【特許請求の範囲】
【請求項１】
用紙が当接する当接面を有し前記用紙を収容する収容部と、前記収容部の当接面に対して接触及び離間する方向に移動するよう設けられ、その当接面に当接した用紙に移動して接触するとともに回転することにより当該用紙を搬送先にむけて繰り出す繰出しロールとを備え、
前記当接面のうち前記繰出しロールが移動して接触する部分に、その繰出しロールの幅方向の一部と対峙する凹部又は凸部を形成していることを特徴とする用紙搬送装置。
【請求項２】
前記凹部又は凸部が、前記繰出しロールの幅方向において複数形成されていることを特徴とする請求項１に記載の用紙搬送装置。
【請求項３】
前記凹部が貫通した孔であることを特徴とする請求項１又は２に記載の用紙搬送装置。
【請求項４】
前記凹部又は凸部が、前記繰出しロールの幅方向の中心位置を通るその繰出しロールの繰出し方向に沿う直線に対して左右対称となる形状でかつ同じ数だけ形成されていることを特徴とする請求項２に記載の用紙搬送装置。
【請求項５】
前記凹部又は凸部が、前記繰出しロールの繰出し搬送方向の下流側にむかうにつれて離れる左右対称の形状で形成されていることを特徴とする請求項４に記載の用紙搬送装置。
【請求項６】
前記凹部又は凸部が、前記繰出しロールの幅方向と斜めに交差する方向に延びる形状で当該幅方向において隣り合うものを有し、その隣り合う凹部又は凸部どうしのうち当該ロールと実際に接触する部分でかつ当該ロールの回転方向と対向する側に位置する縁部が当該ロールの繰出し搬送方向において連続又は重複した状態で形成されていることを特徴とする請求項２又は５に記載の用紙搬送装置。
【請求項７】
原稿を読み取る読取手段と、前記読取手段に原稿を搬送する原稿搬送装置とを備え、
前記原稿搬送装置として請求項１〜６のいずれかに記載の用紙搬送装置を用いていることを特徴とする原稿読取装置。
【請求項８】
用紙に画像を形成する作像手段と、前記作像手段に用紙を搬送する用紙搬送装置とを備え、
前記用紙搬送装置として請求項１〜６のいずれかに記載の用紙搬送装置を用いていることを特徴とする画像形成装置。
【発明の詳細な説明】
【技術分野】
【０００１】
この発明は、用紙搬送装置並びにこれを用いた原稿読取装置及び画像形成装置に関するものである。
【背景技術】
【０００２】
複写機、スキャナ、ファクシミリ等のように原稿を読み取る原稿（画像）読取部を有する機器においては、読み取り情報が記録された文書等の原稿（用紙）を所定の収容部に収容したうえで、原稿をその読取部にむけて１枚ずつ送り出して搬送するとともに、その読み取り後の原稿を所定の排出部にむけて搬送する用紙搬送装置が使用されることがある。
【０００３】
このような用紙搬送装置としては、例えば、シート載置部に載置された複数のシート（用紙）からなるシート束に当接してシート搬送路に沿って給紙する給紙手段（ピックアップロール）を備え、その給紙手段に対向するシート搬送路上に薄肉状の弾性シートを設けるとともに、弾性シートをシート搬送路に対して隙間を画成するようにシート搬送路に取り付けた給紙装置が知られている（特許文献１）。この給紙装置によれば、給紙手段のピックアップロールがシートである原稿に当接する下降時に原稿を介して原稿の搬送路に接触するときの衝撃音の発生が抑制され、また、そのときのピックアップロールの跳ね上がりが防止されるとされている。
【０００４】
この他、発券装置の分離給紙機構であるが、付勢手段によって付勢された移動可能な押圧板により媒体収容部の媒体をピックアップロールに押し付け、そのロールの回転により媒体を繰り出してフィードロールとゲート手段との間に送る分離給紙機構として、その押圧板のピックアップロールと対向する部分に逃げ孔を設けて、媒体収容部内の最後の媒体を繰り出して押圧板がピックアップロール側に移動したとき、そのロールが逃げ孔に入って空転するようにしたものが知られている（特許文献２）。
【特許文献１】特許第３８８０８０１号公報
【特許文献２】特開平７−１１７８６６号公報
【発明の開示】
【発明が解決しようとする課題】
【０００５】
この発明は、搬送対象の用紙を収容する収容部のうち用紙が当接する当接面に用紙の繰出しロールが回転した状態で接触することがあっても、その接触したときの異音（主に高周波の擦れ音）の発生を、別部材を使用して構成することなく容易に抑制することができる用紙搬送装置を提供することを目的とするものである。また、そのような用紙搬送装置を適用して繰出しロールの当接面への接触時における異音の発生が抑制された状態で原稿の搬送及び読取や用紙の搬送及び画像の形成を行うことができる原稿読取装置及び画像形成装置を提供することを目的とするものである。
【課題を解決するための手段】
【０００６】
この発明（Ａ１）の用紙搬送装置は、用紙が当接する当接面を有し前記用紙を収容する収容部と、前記収容部の当接面に対して接触及び離間する方向に移動するよう設けられ、その当接面に当接した用紙に移動して接触するとともに回転することにより当該用紙を搬送先にむけて繰り出す繰出しロールとを備え、前記当接面のうち前記繰出しロールが移動して接触する部分に、その繰出しロールの幅方向の一部と対峙する凹部又は凸部を形成しているものである。
【０００７】
この発明（Ａ２）の用紙搬送装置は、上記発明Ａ１の用紙搬送装置において、前記凹部又は凸部が、前記繰出しロールの幅方向において複数形成されているものである。
【０００８】
この発明（Ａ３）の用紙搬送装置は、上記発明Ａ１又はＡ２の用紙搬送装置において、前記凹部が貫通した孔であるものである。
【０００９】
この発明（Ａ４）の用紙搬送装置は、上記発明Ａ２の用紙搬送装置において、前記凹部又は凸部が、前記繰出しロールの幅方向の中心位置を通るその繰出しロールの繰出し方向に沿う直線に対して左右対称となる形状でかつ同じ数だけ形成されているものである。
【００１０】
この発明（Ａ５）の用紙搬送装置は、上記発明Ａ４の用紙搬送装置において、前記凹部又は突起部が、前記繰出しロールの繰出し搬送方向の下流側にむかうにつれて離れる左右対称の形状で形成されているものである。
【００１１】
この発明（Ａ６）の用紙搬送装置は、上記発明Ａ１又はＡ２の用紙搬送装置において、前記凹部又は凸部が、前記繰出しロールの幅方向と斜めに交差する方向に延びる形状で当該幅方向において隣り合うものを有し、その隣り合う凹部又は凸部どうしのうち当該ロールと実際に接触する部分でかつ当該ロールの回転方向と対向する側に位置する縁部が当該ロールの繰出し搬送方向において連続又は重複した状態で形成されているものである。
【００１２】
また、この発明（Ｂ）の原稿読取装置は、原稿を読み取る読取手段と、前記読取手段に原稿を搬送する原稿搬送装置とを備え、前記原稿搬送装置として上記発明Ａ１〜Ａ６のいずれかの用紙搬送装置を用いているものである。
【００１３】
さらに、この発明（Ｃ）の画像形成装置は、用紙に画像を形成する作像手段と、前記作像手段に用紙を搬送する用紙搬送装置とを備え、前記用紙搬送装置として上記発明Ａ１〜Ａ６のいずれかの用紙搬送装置を用いているものである。
【発明の効果】
【００１４】
上記発明Ａ１の用紙搬送装置によれば、その構成を有していない場合に比べて、繰出しロールが回転した状態で収容部における用紙の当接面に接触することがあっても、その接触したときにそのロールの幅方向の一部が収容面における凹部又は凸部と接触することでそのロールと当接面との接触面積が減り、その接触したときの異音の発生を、別部材を使用して構成することなく容易に抑制することができる。
【００１５】
上記発明Ａ２の用紙搬送装置では、繰出しロールが当接面における複数の凹部又は凸部と接触することでそのロールと当接面との接触面積がさらに減り、繰出しロールが当接面に接触したときの異音の発生をより容易に抑制することができる。
【００１６】
上記発明Ａ３の用紙搬送装置では、繰出しロールが当接面における１又は複数の貫通孔と接触することでそのロールと当接面との接触面積が減るとともに音がこもるおそれがなく、繰出しロールが当接面に接触したときの異音の発生をより容易に抑制することができる。
【００１７】
上記発明Ａ４の用紙搬送装置では、当接面における凹部又は凸部の存在の影響により繰出しロールによって繰り出される用紙の繰出し搬送方向が左右何れかに傾いてずれてしまうおそれが防止される。
【００１８】
上記発明Ａ５の用紙搬送装置では、当接面における凹部又は凸部の存在の影響により繰出しロールで送り出される用紙に不要なしわが発生するおそれが防止される。
【００１９】
上記発明Ａ６の用紙搬送装置では、繰出しロールの幅方向と斜めに交差する方向に延びる形状で当該幅方向において隣り合う凹部又は凸部どうしのうち当該ロールと実際に接触する部分でかつ当該ロールの回転方向と対向する側に位置する縁部（角部）に接触して通過すると、繰出し排出方向で連続又は重複している縁部どうしの間を通過するロール表面部分に付着している付着物が（隙間なく）かき落とされる。
【００２０】
上記発明Ｂの原稿読取装置によれば、その構成を有していない場合に比べて、繰出しロールが収容部の当接面に接触したときの異音の発生が容易に抑制された状態で、原稿の搬送及び読取を行うことができる。
【００２１】
上記発明Ｃの画像形成装置によれば、その構成を有していない場合に比べて、繰出しロールが収容部の当接面に接触したときの異音の発生が容易に抑制された状態で、用紙の搬送及び画像の形成を行うことができる。
【発明を実施するための最良の形態】
【００２２】
［第１の実施形態］
図１〜図３は、この発明の第１の実施形態に係る原稿搬送装置（原稿読取装置）を示すものである。図１はその装置の全体構成を概略説明図として示し、図２はその装置の要部を概略斜視図として示し、図３はその装置の要部を拡大した説明図として示している。
【００２３】
この実施形態に係る原稿搬送装置１は、用紙などのシート状物に読み取り対象の情報が記録されている原稿９を収容する収容トレイ１０と、収容トレイ１０から原稿９を送り出す送出部２０と、送出部２０から送り出された原稿９の情報の読み取りを行う読取部３０と、読取部３０を通過した後の原稿９を排出する排出部３５と、送出部２０から読取部３０を経由して排出部３５に至るまでの区間に原稿９を搬送する原稿搬送路４０とが設けられている。図１等における符合１９は送出部１０、読取部３０、排出部３５及び原稿搬送路４０を覆うカバー、符合４５は排出部３５から排出される原稿９を積み重ねる状態で収容する排出収容部である。また、符合８は原稿読取装置であり、その筐体内に原稿９の情報を読み取る読取手段８１が設置されている。
【００２４】
収容トレイ１０は、１枚又は複数枚の原稿９を載せて収容する収容面１２が形成された板状の部材で形成されている。また、収容トレイ１０は、その一端部１０ａ側が取り付けアーム１１を介して不図示の装置本体に対し揺動するように取り付けられており、これにより、その他端部側をもって上方に持ち上げられるようになっている。図２において符合１３，１４は、収容面１２に収容する原稿９のサイズ（搬送時における幅寸法）に合わせて移動して搬送側部を揃えて案内する移動ガイド板であり、原稿の搬送方向とほぼ直交する方向に延びるガイド溝１３ａ，１４ａにそって所定の位置まで移動するように取り付けられている。また、符合１５は収容トレイ１０に貫通するように形成された開口部であり、収容トレイ１０の下方側に位置する排出収容部４５における排出された原稿９の有無を確認するのぞき窓として使用される。
【００２５】
送出部２０は、収容トレイ１０の一端部１０ａと対峙して接続される位置に形成される部分であり、収容トレイ１０上の原稿９を１枚ずつ送り出す送出装置２１を配置して構成されている。排出装置２１は、ピックアップロール２２、搬送ロール２３及びパッド部材２４と、ピックアップロール２２及び搬送ロール２３を支持する揺動支持フレーム２５とで主に構成されている。また、この送出装置２１の下方側には、収容トレイ１０の一端部１０ａから連続した状態で接続される固定収容板１６及び搬送ガイド板１７が配置されている。
【００２６】
固定収容板１６は、上面が原稿９を収容する平面状の収容面１６ａとして形成された板状のものであり、固定した状態で配置されている。この収容面１６ａは、収容される原稿９（の面）が当接する面になる。搬送ガイド板１７は、固定収容板１６から搬送ロール２３とパッド部材２３の間にむけて原稿９の搬送先を案内するガイド面が形成された板状のものであり、固定した状態で配置されている。図１における符合２９は、収容トレイ１０及び固定収容板１６における原稿９の有無を検出するセンサ（の揺動検出片）であり、原稿９が収容されて存在するときはその揺動検出片が固定収容板１６の下方に倒れ込むように動いて原稿９の存在を検出する。
【００２７】
送出装置２１における揺動支持フレーム２５は、固定収容板１６の上方の位置においてピックアップロール２２による原稿の繰出し搬送方向Ａに対しほぼ直交する方向に沿って設置される搬送ロール２３の回転駆動軸２６に回転自在に取り付けられている。また、揺動支持フレーム２５は、その移動端部側にピックアップロール２２を回転自在に取り付けて支持している。そして、揺動支持フレーム２５は、回転駆動軸２６の動作により、搬送ロール２３の駆動軸２６を支点として矢印Ｂ１，Ｂ２で示す方向に揺動する。また、揺動支持フレーム２５には、駆動軸２６の回転動力をピックアップロール２２まで伝達するギヤ列（２８ａ〜２８ｃ）の駆動伝達機構が設けられている。図２中の符合２７は、揺動支持フレーム２５を矢印Ｂ１の方向に押す力を発生させるスリップクラッチである。
【００２８】
ピックアップロール２２は、そのロール表面がゴム等の弾性部材で形成されている。また、ピックアップロール２２は、上記したように搬送ロール２３の軸２６を支点として揺動する揺動支持フレーム２５の移動端部側に取り付けられていることで、収容トレイ１０の固定収容板１６の原稿を収容する収容面１６ａに対して接触及び離間する方向（矢印Ｂ１，Ｂ２で示す方向）に移動する。これにより、ピックアップロール２２は、固定収容板１６の収容面１６ａに収容された原稿９の上面にむけて移動して接触するとともに矢印で示す方向に回転することにより原稿９を搬送先（搬送ロール２３とパッド部材２４の間）にむけて繰り出すものである。
【００２９】
搬送ロール２３は、揺動支持フレーム２５の支点側端部に配置され、原稿搬送時に駆動軸２６からの回転動力を受けて矢印で示す方向に回転駆動する。この搬送ロール２３は、ピックアップロール２２により繰り出される原稿９を次の搬送先に搬送する。パッド部材２４は、搬送ロール２３に所定の圧力下で接触して接触部を形成し、その接触部の手前においてピックアップロール２２で繰り出される原稿９のうち重なった状態で送られた分（重送された分）の原稿（下方に存在する原稿）を停止させて分離する重送防止用のパッドである。
【００３０】
読取部３０は、この原稿搬送装置１と組み合わせて使用する原稿（画像）読取装置８にある読取手段（照明機器、ライン型の撮像素子、光学走査型撮像装置などで構成される）８１による読み取り動作を実行するために原稿９をその読取装置６の読取面を通過させるように誘導する原稿誘導部材を配置して構成されている。ちなみに、この読取部３０は、原稿９の少なくとも片面に記録された読み取り情報（文字、画像など）を読み取る読取手段（照明機器、ライン型の撮像素子などで構成される）を配置したものであってもよい。
【００３１】
排出部３５は、排出収容部１７の一端部側と対峙する位置に形成される部分であり、原稿９が最終的に装置外部に排出される排出口３６に排出ロール対３７（駆動ロール３７ａと従動ロール３７ｂ）を配置して構成されている。
【００３２】
原稿搬送路４０は、送出部２０と読取部３０の間を接続する第一搬送路４１と、読取部３０と排出部３５の間を接続する第二搬送路４２とで構成されている。このうち第一搬送路４１は、送出部２０と読取部３０の間でほぼ湾曲（面）形状の通路として形成されており、その通路の空間を形成する（ほぼ上下）一対の通路形成部材と、その通路途上で読取部３０から所定の距離だけ手前側となる位置に設置される送り込みロール対４３（駆動ロール４３ａと従動ロール４３ｂ）とで構成されている。また、第二搬送路４２は、読取部３０と排出部３５の間でほぼ直線（平面）形状の通路として形成されており、その通路の空間を形成する（上下）一対の通路形成部材で構成されている。送り込みロール対４３は、第一搬送路４１を通して搬送される原稿９を読取部３０における読み取りタイミングに合わせて読取部３０にむけて搬送する。
【００３３】
このように構成される原稿搬送装置１は、以下のように作動して原稿の搬送を行う。なお、この原稿搬送装置１は原稿読取装置８と組み合わせて使用されるものであるため、その読取装置８の動作と同期して作動することになる。
【００３４】
収容トレイ１０及び固定収容板１６に読み取り（搬送）対象の複数枚の原稿９が積み重ねられた状態で載せられて不図示の制御部が動作開始指示（制御信号）を受けると、送出部２０の送出装置２１によって収容トレイ１０及び固定収容板１６においてその最上位にある原稿９から１枚ずつ原稿搬送路４０の第一搬送路４１に送り出される。
【００３５】
この際、送出装置２１では、図４の上部に示すように、回転駆動軸２６の揺動駆動により揺動支持フレーム２５が搬送ロール２３の駆動軸２６を支点として矢印Ｂ１方向に揺動し、ピックアップロール２２が収容トレイ１０及び固定収容板１６に収容されている原稿（束）９の最上位にある原稿面に接触した状態になって回転する。これにより、その原稿（束）９が１枚又は複数枚重なり合った状態で搬送ロール２２とパッド部材２４の間の接触部にむけて送られる。続いて、搬送ロール２２とパッド部材２４の間において、重送されて下方に位置する原稿９がパッド部材２４により接触部の手前位置で停止させられて最上位の原稿と分離される。これにより、最上位の原稿９のみが搬送ロール２３の搬送力を受けて接触部を通過するように送り出される。
【００３６】
第一搬送路４１に送り出された原稿９は、送り込みロール対４３により読取タイミングに合わせて読取部３０に送られる。読取部３０では、原稿９に記録されている情報の読み取りが行われる。また、原稿９は、読取部３０を通過するように搬送される。この読取部３０を通過するときの原稿９は、送り込みロール対４３と排出ロール対３７の少なくとも一方の接触部に挟まれて保持された状態となることで搬送力を受けて搬送される。
【００３７】
読み取りが終了した原稿９は、送り込みロール対３４の搬送力を受けて読取部３０から原稿搬送路４０の第二搬送路４２を通して排出部３５にむけて搬送される。排出部３５に到達した原稿９は、排出ロール対３７の搬送力により排出口３６から排出され、最後に排出収容部４５に収容される。
【００３８】
ところで、この原稿搬送装置１では、例えば、図４の下部に示すように、収容トレイ１０及び固定収容板１６に収容された最後の１枚の原稿９Ａがピックアップロール２２によって繰り出された際に、そのピックアップロール２２がそのまま矢印Ｂ１の方向に移動（下降）して回転した状態で固定収容板１６（の収容面１６ａ）に接触することがあり、その接触したときに異音が発生する。このときのロール２２の接触は、例えば、最後の原稿９が繰り出されて通過した後、その原稿９が収容面１６ａから送り出されて排出されるまでの時間だけ発生する。
【００３９】
そこで、この原稿搬送装置１においては、ピックアップロール２２が移動して固定収容板１６に接触したときの異音の発生を抑制するために、図３等に示すように、その固定収容板１６の収容面１６ａのうちピックアップロール２２が移動して接触する部分に以下の貫通した孔５を形成している。
【００４０】
図３に示す貫通孔５は、ピックアップロール２２の幅方向（軸方向）Ｃの一部と対峙するように形成されたものである。この実施形態における貫通孔５は、図５に示すように、ピックアップロール２２の幅方向Ｃの中心位置Ｑを通るピックアップロール２２の繰出し方向Ａに沿う直線ＳＬに対して左右対称となる形状の第１孔５１、第２孔５２及び第３孔５３を直線ＳＬの両側に３つずつ対称的に配置して形成することで構成されている。各孔５１〜５３はいずれも、ピックアップロール２２の収容面１６ａと実際に接触する部分である接触領域Ｅに少なくとも含まれる状態で形成されている。図５中の符号Ｗは、ピックアップロール２２の幅を示す。
【００４１】
また、貫通孔５を構成する第１孔５１Ａ，Ｂ、第２孔５２Ａ，Ｂ及び第３孔５３Ａ，Ｂは、ロール２２の幅方向Ｃと斜めに交差する方向に伸びる開口形状の孔であって、その直線ＳＬを挟んだときの間隔が繰り出し搬送方向Ａの下流側にむかうにつれて次第に離れる左右対称の形状で形成されている。換言すれば、繰り出し搬送方向Ａの下流側にむかうにつれて直線ＳＬを挟んで左右に次第に広がるような形状で形成されている。
【００４２】
さらに、この第２孔５２Ａ，Ｂ及び第３孔５３Ａ，Ｂは、ピックアップロール２２と実際に接触する領域Ｅにおいてロール２２の回転方向（繰出し搬送方向Ａとほぼ同じ）と対向する側に位置する縁部５２ｅ，５３ｅが存在するように形成されている。図５中において５１ｆ，５２ｆ、５３ｆは、ロール２２の回転方向と対向しない側に位置する縁部を示す。
【００４３】
このような貫通孔５が形成された固定収容板１６の収容面１６ａにピックアップロール２２が回転した状態で接触した場合には、図５〜図７に示すような状態になる。
【００４４】
まず、ピックアップロール２２は、固定収容板１６の収容面１６ａに対して図５に点線枠で示すような領域Ｅで接触する。この接触領域Ｅは、ロール２２の幅Ｗに相当する長辺とロールの回転方向（又は繰り出し搬送方向Ａ）に対する幅Ｅａに相当する短辺で囲まれるほぼ長方形の領域である。
【００４５】
このときのピックアップロール２２は、そのロール幅方向Ｃの一部が接触面１６ａと接触することになる。図６に符号ｓ１〜ｓ７で示す部分が、ロール２２が収容面１６と接触する主な部分である。厳密には、その実際に接触している部分は、図５に示す接触領域Ｅのうち貫通孔５の各孔５１〜５３と対峙（重複）している部分以外の合計した部分（領域）となる。
【００４６】
これにより、ピックアップロール２２の収容面１６ａとの接触面積が、その貫通孔５（５１〜５３）のない面に接触した場合に比べて減り（約２０％から５０％減る）、そのロール２２が回転した状態で収容面１６ａに接触したときの高周波の擦れ音等の異音が発生することがほとんどなく大幅に抑制される。また、この際に発生した少量の異音も、貫通孔５を通りぬけて放出され、消失する。
【００４７】
また、貫通孔５は、その各孔５１〜５３が直線ＳＬに対して左右対称の形状でかつ同数形成されて構成したものであるため、その貫通孔５が存在していても、原稿の搬送時においてピップアップロール２２によって繰り出される原稿の繰り出し搬送方向Ａが左右のいずれかに傾いてしまい、そのロール２２と貫通孔５の間に存在している原稿９が正式な繰り出し搬送方向Ａに対して斜めにずれて搬送されること（斜走）がほとんどない。このため、かかる斜送が発生することに起因した搬送不良や読取不良などが誘発されることもない。
【００４８】
さらに、貫通孔５は、その各孔５１〜５３がロール２２の幅方向Ｃと斜めに交差する方向に伸びる開口形状の孔で、直線ＳＬを挟んだときの間隔が繰り出し搬送方向Ａの下流側にむかうにつれて次第に離れる左右対称の形状で形成されているので、その貫通孔５が存在していても、原稿の搬送時においてそのロール２２と貫通孔５の間に存在している原稿９が繰り出して搬送される際に貫通孔５の各孔５１〜５３の形状や配置状態の影響をうけて不要なしわが発生するおそれがない。このため、かかるしわが発生することに起因した搬送不良や読取不良などが誘発されることもない。ちなみに、図５において繰り出し搬送方向Ａと正反対の方向に対して原稿９をピックアップロール２２により繰り出するように貫通孔５を形成した場合は、その貫通孔とピックアップロール２２との間に挟まれて繰り出される原稿９の挟まれた部分にたぐり寄せるようなしわが発生することが確認されている。
【００４９】
これ以外にも、貫通孔５は、その第二孔５２Ａ，Ｂ及び第三孔５３Ａ，Ｂは、ピックアップロール２２と実際に接触する領域Ｅにおいてロール２２の回転方向と対向する側に位置する縁部５２ｅ，５３ｅが存在するように形成されているため（図５）、図７等に示すように、その縁部５２ｅ，５３ｅにロール２２が接触して通過すると、その際にロール面に付着している紙粉、粉塵等の付着物がかき落とされる。これにより、ピックアップロール２２の繰り出し搬送力が付着物の存在により低下してしまうことや、そのロール２２の付着物が原稿９との接触時に転移して原稿面の一部を汚染してしまうことを回避できる。
【００５０】
固定収容板１６の収容面１６ａにおける貫通孔５は、例えば、固定収容板１６がプラスチック成形品である場合には、その成形時に貫通孔５を金型に形成しておき、その金型を用いてプラスチック成形を行うことにより、形成することができる。
【００５１】
＜変形例＞
図８は、固定収容板１６と搬送ガイド板１７が分離した状態で設置されている場合、その固定収容板１０の収容面１６ａに形成する貫通孔５の各孔５１〜５３を、搬送ガイド板１７と対向する部分を切り欠いて開口した形態とした切り欠き貫通孔５１Ｃ，Ｄ、５２Ｃ，Ｄ及び５３Ｃ，Ｄとして形成した構成例を示している。このような切り欠き貫通孔５１Ｃ等からなる貫通孔５を形成した場合には、ピックアップロール２２が固定収容板１６の収容面１６ａに接触したとき、その切り欠き貫通孔５１Ｃ等が非連続の状態であるため振動しにくくなり、異音の発生がさらに抑制される。
【００５２】
図９は、前記固定収容板１０の収容面１６ａに、貫通孔５として、第４孔５４、第５孔５５、第６孔５６Ａ，Ｂ、第７孔５７Ａ，Ｂ及び第８孔５８Ａ，Ｂで構成されるものを形成した例を示している。
【００５３】
この各孔５４〜５８は、基本的にはピックアップロール２２の幅方向Ｃの中心位置を繰出し搬送方向Ａに沿う直線ＳＬに対して左右対称の形状でかつ同数形成されて構成したものである。このうち第４孔５４及び第５孔５５は、直線ＳＬを中心にして連続した状態で左右対称となるように形成された孔形状（逆三角形及びＶ字形状）のものである。
【００５４】
また、第６孔５６、第７孔５７及び第８孔５８は、前記第２孔５２及び第３孔５３の場合と同様に、ロール２２の幅方向Ｃと斜めに交差する方向に伸びる開口形状の孔であって、その直線ＳＬを挟んだときの間隔が繰り出し搬送方向Ａの下流側にむかうにつれて次第に離れる左右対称の形状で形成されたものである。しかも、この孔５５〜５８は、第５孔５５を含めて、その隣り合う孔どうし（第５孔５５と第６孔５６どうし、第６孔５６と第７孔どうし、第７孔と第８孔５８どうし）のうちピックアップロール２２と実際に接触する領域Ｅにおいてロール２２の回転方向と対向する側に位置する縁部５５ｅ，５６ｅ，５７ｅ，５８ｅが繰出し搬送方向Ａにおいて連続した状態で形成されている。
【００５５】
この各孔５４〜５８からなる貫通孔５を形成した場合は、ピックアップロール２２が回転した状態で固定収容板の収容面１６ａに接触したときに、第１の実施形態における貫通孔５と同様の効果が得られることに加え、そのロール２２のうち孔５５〜５８の縁部５５ｅ，５６ｅ，５７ｅ，５８ｅと接触する部分ではロール表面に付着している付着物のかき落としがロール幅方向Ｃにおいて隙間なく行われるようになる。
【００５６】
第５孔５５、第６孔５６、第７孔５７及び第８孔５８については、図１０に示すように、その隣り合う孔どうしのうちピックアップロール２２と実際に接触する領域Ｅにおいてロール２２の回転方向と対向する側に位置する縁部５５ｅ，５６ｅ，５７ｅ，５８ｅが繰出し搬送方向Ａにおいて重複した状態で形成することもできる。図１０における符号ｍ１は第５孔の縁部５５ｅと第６孔の縁部５６ｅの重複部分、ｍ２は第６孔の縁部５６ｅと第７孔の縁部５７ｅの重複部分、ｍ３は第７孔の縁部５７ｅと第８孔の縁部５８ｅの重複部分を示す。
【００５７】
この場合には、各孔の縁部５５ｅ〜５８ｅが隙間なく連続した状態でピックアップロール２２の表面に接触するようになり、その接触するロール表面における付着物のかき落としをより一層隙間なく行うことができる。なお、図９に示す各孔５４〜５８の場合であっても、ピックアップロール２２と実際に接触する領域Ｅの幅Ｅａが広くなれば、その各縁部５５ｅ〜５８ｅが繰出し搬送方向Ａにおいて重複した状態になる。
【００５８】
図１１は、前記固定収容板１０の収容面１６ａに、貫通孔５として１つのものを形成した例を示している。この貫通孔５は、ピックアップロール２２の繰出し搬送方向Ａの下流側にロール軸方向Ｃとほぼ平行する底辺（縁部５９ａ）を存在させた逆三角形の開口形状の孔５９である。このような逆三角形状の貫通孔５９は、その底辺以外の２辺５９ｂ，５９ｃが繰出し搬送方向Ａにむけて間隔が次第に広くなる状態になる。
【００５９】
このような１つの貫通孔５（５９）を形成した場合も、ピックアップロール２２ｂが収容面１６ａに接触したときであっても異音の発生が抑制される。また、その２辺５９ｂ，５９ｃが繰出し搬送方向Ａにむけて間隔が次第に広くなる状態になっているので、その貫通孔５とロール２２の間に挟まれて繰り出されるときの原稿９の部分に不要なしわが発生することがない。なお、この逆三角形状の貫通孔５９を形成する場合には、図１１の下部に示すように、繰出し搬送方向Ａの下流側の縁部５９ａについてその搬送方向Ａの下流側にむけて次第に上昇する傾斜面５０を形成したり又は面取り処理を施し、ロール２２で繰り出される原稿９の先端部が貫通孔５９の繰出し搬送方向Ａと対向する縁部５９ａにおいて引っ掛かることを防止するようにするとよい。
【００６０】
図１２は、前記固定収容板１０の収容面１６ａに、貫通孔５として複数の孔で構成されるものを形成した例を示している。この貫通孔５は、５つの開口形状が円形の貫通孔６１Ａ〜６１Ｄをピックアップロール２２のロール軸方向Ｃにおいてほぼ等間隔で並べるように形成して構成された孔である。この場合、円形の貫通孔６１の数、直径等については、適宜増減させて変更してもよい。また、円形の貫通孔６１は、ピックアップロール２２との接触領域Ｅ内においてロール軸方向Ｃに複数の列で並べるように形成したり、あるいは、千鳥状に並べるように形成してもよい。
【００６１】
図１３は、前記固定収容板１０の収容面１６ａに、貫通孔５として複数の孔で構成されるものを形成した他の例を示している。この貫通孔５は、９つの開口形状がほぼ長方形の貫通孔６２をピックアップロール２２のロール軸方向Ｃにおいてほぼ等間隔で並べるように形成して構成された孔である。この場合、ほぼ長方形の貫通孔６２の数、長さ、幅等については、適宜増減させて変更してもよい。また、このほぼ長方形の貫通孔６２は、その繰出し搬送方向Ａの下流側に位置する辺をその搬送方向Ａの下流側にむけて先細りとなる先鋭形状として形成したり又は面取り処理を施し、ロール２２で繰り出される原稿９の先端部が貫通孔６２の繰出し搬送方向Ａと対向する縁部６２ａにおいて引っ掛かることを防止するようにするとよい。
【００６２】
図１４及び図１５は、前記固定収容板１０の収容面１６ａに形成する前記した各貫通孔５に代えて、その貫通孔５を収容面１６ｃから突出する凸部７として形成した場合におけるピックアップロール２２とその凸部７との接触状態を示している。
【００６３】
この場合、凸部７は、例えば、前記した各貫通孔５（図５、図９、図１１〜図１３）の開口形状を凸部７のほぼ上面（輪郭）形状とする形状及びその配置パターンで同様に形成した突出形状とすればよい。
【００６４】
このような凸部７を形成した固定収容板１０の収容面１６ａにピックアップロール２２が回転した状態で接触したときは、図１４及び図１５に示すように、そのロール２２はロール幅方向Ｃの一部が接触面１６ａの凸部７（の上面）と接触することになる。図１４に符号ｓ１１〜ｓ１４で示す部分が、ロール２２が収容面１６と接触する主な部分である。
【００６５】
これにより、ピックアップロール２２の収容面１６ａとの接触面積が、その凸部７のない面に接触した場合に比べて減り、そのロール２２が回転した状態で収容面１６ａに接触したときの異音が発生することがほとんどなく大幅に抑制される。また、この際に発生した少量の異音も、凸部７の横の隙間７６（凹部７７）を通りぬけて放出されて消失する。
【００６６】
また、凸部７を複数の凸部を形成して構成する場合、その凸部７がピックアップロール２２の幅方向Ｃと斜めに交差する方向に伸びる上面形状の突出部であり、ロール２２と実際に接触する領域Ｅにおいてロール２２の回転方向と対向する側に位置する縁部が存在するように形成したときには、貫通孔５における縁部の場合と同様に、その凸部の縁部にロール２２が接触して通過すると、その際にロール面に付着している付着物がかき落とされる。
【００６７】
なお、凸部７は、図１５に示すように、その繰出し搬送方向Ａの上流側の部位をその搬送方向Ａの下流側にむけて上昇する傾斜面７１として形成したり又は面取り処理を施し、ロール２２で繰り出される原稿９が凸部７の存在により搬送不良を誘発したり、あるいは不要な皺の発生を誘発すること未然に防止するようにするとよい。
【００６８】
図１６は、前記固定収容板１０の収容面１６ａに形成する前記した各貫通孔５に代えて、その貫通孔５を貫通していない収容面１６ａから窪んだ凹部６５として形成した場合におけるピックアップロール２２とその凹部６５との接触状態を示している。この場合、凹部６５、例えば、前記した各貫通孔５（図５、図９、図１１〜図１３）の開口形状及びその配置パターンで同様に形成した凹部とすればよい。
【００６９】
このような凹部６５を形成した固定収容板１０の収容面１６ａにピックアップロール２２が回転した状態で接触したときは、図１６に示すように、そのロール２２はロール幅方向Ｃの一部が接触面１６ａの凹部６５以外の部分と接触することになる。図１６に符号ｓ２１〜ｓ２５で示す部分が、ロール２２が収容面１６と接触する主な部分である。
【００７０】
これにより、ピックアップロール２２の収容面１６ａとの接触面積が、その凹部６５のない面に接触した場合に比べて減り、そのロール２２が回転した状態で収容面１６ａに接触したときの異音が発生することが抑制される。
【００７１】
［第２の実施形態］
図１７は、この発明の第２の実施形態に係る原稿搬送装置を適用した画像形成装置の要部を示している。
【００７２】
画像形成装置１００は、筐体１１０内に、電子写真方式を利用した作像装置１２０を備え、その作像装置１２０に対して用紙搬送装置１４０（給紙カセット１４１又は手差しトレイ１５１）から供給される用紙９０に画像を形成して排出するものである。作像装置１２０では、矢印で示す方向に回転する感光ドラム１２１が帯電装置１２２で所定の電位に帯電された後に露光装置１２３で露光がなされて所定の電位からなる静電潜像が形成され、その静電潜像が現像装置１２４で現像されてトナー像となる。このトナー像が転写装置１２５により用紙９０に転写された後、その用紙９０が定着装置１３０に送られてトナー像が用紙９０に定着されることで画像形成が行われる。
【００７３】
この画像形成装置１００は、その筐体１１０の上部に、第１の実施形態に係る原稿搬送装置１を装備した原稿読取装置８が配置されて接続されている。原稿９の情報を複写する場合には、原稿搬送装置１により原稿９が原稿読取装置８の読取手段８１を通過するように搬送され、その原稿読取装置８により原稿９の情報の読み取りが行われる。その読み取られた情報が画像形成装置１００の不図示の画像処理装置に入力されて所要の処理が施された後、作像装置１２０の露光装置１２３に送信され、その情報に基づいた露光により静電潜像が形成される。
【００７４】
この際、原稿搬送装置１において収容トレイ１０（固定収容板１６）に収容されている最後の原稿９がピックアップロール２２で送り出された後にそのロール２２が収容面１２（１６ａ）に接触したときの異音の発生が抑制され、この異音発生が抑制された状態で画像形成の動作が実行される。
【００７５】
また、この画像形成装置１００においては、筐体１１０に対して出し入れ自在に装着される給紙カセット１４１において昇降動する収容板１４５上に画像形成用の用紙９０が複数枚積み重ねられた状態で収容されており、画像形成時になると、その最上位にある用紙から送出装置１４２で１枚ずつ送り出される。送り出された用紙９０は、複数の搬送ロール対１４７、１４８と不図示の通路形成部材等で構成される用紙搬送路を通して作像装置１２０（の転写位置：感光ドラム１２１と転写装置１２５の間）に搬送される。送出装置１４２は、第１の実施形態における送出装置２１とほぼ同様に構成されたものであり、収容板１４５に収容される用紙９０に対して接触及び離間する方向に揺動するピックアップロール２２と、搬送ロール２３と、搬送ロール２３と接触等して用紙を分離して重送を防止する分離手段（パッド部材、反転ロール、トルクリミッター付ロールなど）１４４とで主に構成されている。
【００７６】
この送出装置１４２におけるピックアップロール２２が最後の用紙９０を送り出した後に回転した状態で収容板１４５の収容面１４５ａに接触して異音が発生する場合には、その収容板１４５の収容面１４５ａのうちロール２２が接触する部分に第１の実施形態における貫通孔５、凸部７又は凹分６５を同様に形成する。これにより、用紙搬送装置１４０の給紙カセット１４１の収容板１４５に収容されている最後の用紙９０がピックアップロール２２で送り出された後にそのロール２２が収容板の収容面１４５ａに接触したときの異音の発生が抑制され、この異音発生が抑制された状態で画像形成の動作が実行される。
【００７７】
さらに、この画像形成装置１００においては、筐体１１０の外部に突出した状態で装着される手差しトレイ１５１に画像形成用の用紙９０が複数枚積み重ねられた状態で収容されており、画像形成時になると、その最上位にある用紙から送出装置１５２で１枚ずつ送り出される。送り出された用紙９０は、前記用紙搬送路に合流した後に作像装置１２０に搬送される。送出装置１５２は、第１の実施形態における送出装置２１とほぼ同様に構成されたものであり、手差しトレイ１５１に収容される用紙９０に対して接触及び離間する方向に揺動するピックアップロール２２と、搬送ロール２３と、搬送ロール２３と接触等して用紙を分離して重送を防止する分離手段１４４とで主に構成されている。
【００７８】
この送出装置１５２におけるピックアップロール２２が最後の用紙９０を送り出した後に回転した状態で手差しトレイ１５１の収容面１５１ａに接触して異音が発生する場合には、その手差しトレイ１５１の収容面１５１ａのうちロール２２が接触する部分に第１の実施形態における貫通孔５、凸部７又は凹分６５を同様に形成する。これにより、用紙搬送装置１４０の手差しトレイ１５１に収容されている最後の用紙９０がピックアップロール２２で送り出された後にそのロール２２が収容面１５１ａに接触したときの異音の発生が抑制され、この異音発生が抑制された状態で画像形成の動作が実行される。
【００７９】
［他の実施形態］
第１及び第２の実施形態では、原稿搬送装置１を原稿読取装置８と一体で使用する場合について説明したが、原稿搬送装置１は単独のものとして扱い、所定の原稿読取装置と組み合わせて使用するように構成してもよい。また、原稿読取装置が画像形成装置の筐体側に組み込まれている場合（例えば複写機の場合）には、その原稿読取装置に対して自動で原稿を搬送するために後付けする原稿搬送装置として使用するように構成しもよい。
【００８０】
第２の実施形態では、画像形成装置１００として、電子写真方式を利用した作像装置１２０を適用したものを説明したが、他の作像方式を利用した作像装置、例えばインクジェット記録方式、感熱記録方式等の作像方式を利用した作像装置を適用したものとして構成してもかまわない。
【図面の簡単な説明】
【００８１】
【図１】第１の実施形態等に係る原稿搬送装置（原稿搬送装置を装備する原稿読取装置）の全体構成を示す概略説明図である。
【図２】図１の原稿搬送装置の要部を示す概略斜視図である。
【図３】図１の原稿搬送装置の要部（送出装置のピックアップロールと、貫通孔が形成された収容板）を拡大して示す説明図である。
【図４】送出装置（のピックアップロール）の原稿繰り出し時の２つの状態を示す概略説明図である。
【図５】図３の貫通孔の構成を示す説明図である。
【図６】図３の貫通孔を形成した固定収容板にピックアップロールが接触したときの状態（ロール幅方向から見た状態）を示す一部断面説明図である。
【図７】図６のピックアップロールが接触したときの状態を貫通孔の１つの側面を表した状態（ロール軸方向から見た状態）で示す一部断面説明図である。
【図８】図３の貫通孔の他の構成（変形例）を示す説明図である。
【図９】貫通孔の他の構成例を示す説明図である。
【図１０】図９の貫通孔の他の構成（変形例）を示す説明図である。
【図１１】貫通孔の他の構成例（１つ形成する場合）を示す説明図である。
【図１２】貫通孔の他の構成例（複数形成する場合）を示す説明図である。
【図１３】貫通孔の他の構成例（複数形成する場合）を示す説明図である。
【図１４】貫通孔に代えて凸部を形成した固定収容板にピックアップロールが接触したときの状態（ロール幅方向から見た状態）を示す一部断面説明図である。
【図１５】図１４のピックアップロールが接触したときの状態（ロール軸方向から見た状態）で示す一部断面説明図である。
【図１６】貫通孔の凹部に代えて貫通しない形態の凹部を形成した固定収容板にピックアップロールが接触したときの状態（ロール幅方向から見た状態）を示す一部断面説明図である。
【図１７】第２の実施形態等に係る原稿搬送装置を装備する原稿読取装置及び画像形成装置の全体構成を示す概略説明図である。
【符号の説明】
【００８２】
１…原稿搬送装置、９…原稿（用紙）、５…貫通孔（凹部）、７…凸部、８…原稿読取装置、１０…収容トレイ（収容部の一部）、１６…固定収容板（収容部の一部）、１６ａ，１４５ａ，１５１ａ…収容面（当接面）、２２…ピックアップロール（繰出しロール）、５１〜５８、６１〜６２…複数の貫通孔、５２ｅ〜５８ｅ…縁部、５９…１つの貫通孔、６５…非貫通状態の凹部、８１…読取手段、１００…画像形成装置、１２０…作像装置（作像手段）、１４０…用紙搬送装置、１４５…収容板（収容部の一部）、１５１…手差しトレイ（収容部）、Ａ…繰出し搬送方向、Ｂ１…接触する方向、Ｂ２…離間する方向、Ｃ…ロール幅方向、Ｅ…実際に接触する領域、Ｑ…幅方向の中心位置、ＳＬ…繰出し方向に沿う直線、ｍ…重複部分。
【図１】
2009227441.tif 000003
【図２】
2009227441.tif 000004
【図３】
2009227441.tif 000005
【図４】
2009227441.tif 000006
【図５】
2009227441.tif 000007
【図６】
2009227441.tif 000008
【図７】
2009227441.tif 000009
【図８】
2009227441.tif 000010
【図９】
2009227441.tif 000011
【図１０】
2009227441.tif 000012
【図１１】
2009227441.tif 000013
【図１２】
2009227441.tif 000014
【図１３】
2009227441.tif 000015
【図１４】
2009227441.tif 000016
【図１５】
2009227441.tif 000017
【図１６】
2009227441.tif 000018
【図１７】
2009227441.tif 000019